(57)【要約】【課題】  給紙方向先端側が上方に回動される押上板の上に積載された用紙を、ガイド部材を介して給紙ローラに導く場合に、押上板の上に積載された用紙の枚数が変化しても、用紙の先端がガイド部材と一定した角度で接触して給紙ローラに導かれ、用紙が適切に給紙されるようにする。【解決手段】  給紙方向先端側が上方に回動される押上板２１の上に積載された用紙Ｓを、押上板の上から送り出して用紙の先端をガイド部材２４に接触させ、このガイド部材を介して用紙を給紙ローラ２５に導く用紙給紙装置２０において、押上板の上から用紙がガイド部材に向けて送り出される角度に対応して、ガイド部材の角度を変更させるようにした。【選択図】  図３
2012180218.tif 000002
【特許請求の範囲】
【請求項１】
給紙方向先端側が上方に回動される押上板の上に用紙を積載させ、この用紙を押上板の上からガイド部材に向けて送り出し、この用紙の先端をガイド部材に接触させて、このガイド部材を介して用紙を給紙ローラに導く用紙給紙装置において、上記の押上板の上から用紙がガイド部材に向けて送り出される角度に対応して、上記のガイド部材の角度を変更させることを特徴とする用紙給紙装置。
【請求項２】
請求項１に記載の用紙給紙装置において、用紙の先端がガイド部材と接触する角度が一定になるようにガイド部材の角度を変更させることを特徴とする用紙給紙装置。
【請求項３】
請求項１又は請求項２に記載の用紙給紙装置において、上記の押上板の給紙方向先端側を上方に回動させて、この押上板の上に積載された用紙をピックアップローラに接触させ、このピックアップローラよって用紙を押上板の上からガイド部材に向けて送り出すことを特徴とする用紙給紙装置。
【請求項４】
請求項１〜請求項３の何れか１項に記載の用紙給紙装置において、上記のガイド部材を用紙の送り方向に対して傾動可能に設けると共に、上記の押上板に、押上板の回動に伴ってガイド部材を押圧してガイド部材の角度を変更させる押圧部を設けたことを特徴とする用紙給紙装置。
【発明の詳細な説明】
【技術分野】
【０００１】
本発明は、複写機，ファクシミリ及びこれらの複合機等において、用紙における画像を読み取る画像読取装置等に用いられ、給紙方向先端側が上方に回動される押上板の上に用紙を積載させ、この用紙を押上板の上から送り出して用紙の先端をガイド部材に接触させ、このガイド部材を介して用紙を給紙ローラに導くようにした用紙給紙装置に関するものである。特に、押上板の上に積載された用紙の枚数が変化して、押上板の上からガイド部材に導かれる用紙の角度が変化した場合においても、押上板の上から送り出された用紙の先端がガイド部材と一定した適切な角度で接触し、このガイド部材を介して用紙が給紙ローラに適切に導かれて、用紙が適切に給紙されるようにした点に特徴を有するものである。
【背景技術】
【０００２】
従来から、複写機，ファクシミリ及びこれらの複合機等において、画像読取装置により用紙における画像を読み取るにあたっては、用紙給紙装置により用紙を順々に給紙させて読み取るようにしている。
【０００３】
ここで、このような画像読取装置における用紙給紙装置としては、従来から、特許文献１等に示されるように、給紙方向先端側が上方に回動される押上板の上に用紙を積載させ、この押上板の上に載置された用紙をピックアップローラにより押上板の上からガイド部材に向けて送り出し、この用紙の先端をガイド部材に接触させ、複数枚の用紙が送られてきた場合に、この複数枚の用紙を崩してさばきやすくした後、このガイド部材を介して用紙を給紙ローラと捌きローラとの間に導き、用紙を１枚ずつ給紙して送り出すようにしたものが一般に使用されている。
【０００４】
そして、上記のような用紙給紙装置においては、図１（Ａ），（Ｂ）に示すように、給紙方向先端側が上方に回動される押上板１の上に用紙Ｓを積載させ、この押上板１を上方に回動させて、この押上板１の上に載置された用紙Ｓをピックアップローラ２に接触させ、このピックアップローラ２により押上板１の上に載置された用紙Ｓをガイド部材３に向けて送り出し、この用紙Ｓの先端をガイド部材３に接触させ、複数枚の用紙Ｓが送られてきた場合には、この複数枚の用紙Ｓを崩して捌きやすくした後、このガイド部材３を介して用紙Ｓを給紙ローラ４と捌きローラ５との間に導き、用紙Ｓを１枚ずつ給紙して送り出すようにしている。
【０００５】
ここで、上記のような用紙給紙装置において、図１（Ａ）に示すように、押上板１の上に積載された用紙Ｓの枚数が多い場合には、押上板１の先端側が上方に回動される量が少なくなって、ピックアップローラ２によってガイド部材３に向けて送り出される用紙Ｓの傾斜角度が大きくなり、用紙Ｓの先端がガイド部材３に接触する際における突入角度θ１が大きくなる。
【０００６】
一方、押上板１の上に積載された用紙Ｓが順々に給紙される等により、図１（Ｂ）に示すように、押上板１の上に積載された用紙Ｓの枚数が少なくなった場合には、押上板１の先端側が上方に回動される量が大きくなって、ピックアップローラ２によってガイド部材３に向けて送り出される用紙Ｓの傾斜角度が小さくなり、用紙Ｓの先端がガイド部材３に接触する際における突入角度θ２が小さくなる。
【０００７】
そして、用紙Ｓの先端がガイド部材３に接触する際における突入角度が大きくなると、複数枚の用紙Ｓが送られてきた場合に、この複数枚の用紙Ｓがガイド部材３との接触によって適切に崩されて、給紙ローラ４と捌きローラ５との間で用紙Ｓが捌かれやすくなるが、用紙Ｓがガイド部材３に当たって詰まったりするという問題があった。一方、用紙Ｓの先端がガイド部材３に接触する際における突入角度が小さくなると、用紙Ｓがガイド部材３に当たって詰まるのは防止されるが、複数枚の用紙Ｓが送られてきた場合に、この複数枚の用紙Ｓがガイド部材３との接触によって崩されないで給紙ローラ４と捌きローラ５との間に導かれ、複数枚の用紙Ｓが給紙ローラ４と捌きローラ５との間でうまく捌かれずに給紙されて、ジャムが発生したりするという問題があった。
【０００８】
また、画像形成を行う用紙を給紙させる用紙給紙装置としては、特許文献２に示されるように、上記のような給紙方向先端側が上方に回動される押上板を使用せずに、用紙を積載させる用紙積載台全体を昇降装置によって昇降させるようにし、用紙積載台に積載された用紙をピックアップローラと接触する位置まで、用紙積載台を上昇させて給紙させるようにしたものが提案されている。
【０００９】
しかし、このように用紙を積載させる用紙積載台全体を昇降装置によって昇降させる場合には、用紙給紙装置が大型化すると共にコストも高くつくという問題があった。
【先行技術文献】
【特許文献】
【００１０】
【特許文献１】特開２０１０−３７０９７号公報
【特許文献２】特開２０００−７１７７号公報
【発明の開示】
【発明が解決しようとする課題】
【００１１】
本発明は、給紙方向先端側が上方に回動される押上板の上に用紙を積載させ、この押上板の上から用紙をガイド部材に向けて送り出し、この用紙の先端をガイド部材に接触させ、このガイド部材を介して用紙を給紙ローラに導くようにした用紙給紙装置における上記のような問題を解決することを課題とするものである。
【００１２】
すなわち、本発明は、上記のような用紙給紙装置において、押上板の上に積載された用紙の枚数が変化して、押上板の上から用紙がガイド部材に導かれる角度が変化した場合においても、押上板の上から送り出された用紙の先端がガイド部材と一定した適切な角度で接触し、このガイド部材を介して用紙が給紙ローラに適切に導かれて、用紙が適切に給紙されるようにすることを課題とするものである。
【課題を解決するための手段】
【００１３】
本発明においては、上記のような課題を解決するため、給紙方向先端側が上方に回動される押上板の上に用紙を積載させ、この用紙を押上板の上から送り出しし、この用紙の先端をガイド部材に接触させて、このガイド部材を介して用紙を給紙ローラに導く用紙給紙装置において、上記の押上板の上から用紙がガイド部材に向けて送り出される角度に対応して、上記のガイド部材の角度を変更させるようにした。
【００１４】
ここで、このように押上板の上から用紙がガイド部材に向けて送り出される角度に対応して、ガイド部材の角度を変更させるにあたっては、押上板の上から用紙がガイド部材に向けて送り出される角度が変更した場合においても、用紙の先端がガイド部材と接触する角度が一定になるようにガイド部材の角度を変更させることが好ましい。
【００１５】
また、上記のように押上板の上に積載された用紙を、押上板の上からガイド部材に向けて送り出すにあたっては、用紙が積載された押上板の給紙方向先端側を上方に回動させて、この押上板の上に積載された用紙をピックアップローラに接触させ、このピックアップローラによって用紙を押上板の上からガイド部材に向けて送り出すことができる。
【００１６】
また、上記のように用紙がガイド部材に向けて送り出される角度に対応して、ガイド部材の角度を変更させるにあたっては、ガイド部材を用紙の送り方向に対して傾動可能に設けると共に、上記の押上板に、押上板の回動に伴ってガイド部材を押圧させてガイド部材の角度を変更させる押圧部を設けるようにすることができる。
【発明の効果】
【００１７】
本発明の用紙給紙装置においては、上記のように用紙を押上板の上から送り出して用紙の先端をガイド部材に接触させ、このガイド部材を介して用紙を給紙ローラに導くにあたり、用紙がガイド部材に向けて送り出される角度に対応して、ガイド部材の角度を変更させるようにしたため、押上板の上に積載された用紙が順々に給紙される等により、押上板の先端側が上方に回動される量が変化して、用紙がガイド部材に向けて送り出される角度が変化した場合においても、このガイド部材の角度を変更させて、用紙の先端がガイド部材と接触する角度が一定になるように調整することができる。
【００１８】
このため、従来のように、用紙の先端がガイド部材に接触する際における突入角度が大きくなって、用紙がガイド部材に当たって詰まったり、また用紙の先端がガイド部材に接触する際における突入角度が小さくなって、複数枚の用紙が送られてきた場合に、この複数枚の用紙がガイド部材との接触によって崩されないで、複数枚の用紙が給紙ローラに導かれ、複数枚の用紙がうまくさばかれずに給紙されて、ジャムが発生したりするということがなくなる。
【００１９】
この結果、本発明の用紙給紙装置においては、押上板の上に積載された用紙の枚数が変化して、押上板の上から用紙がガイド部材に導かれる角度が変化した場合においても、押上板の上から送り出された用紙の先端がガイド部材と一定した適切な角度で接触し、このガイド部材を介して用紙が給紙ローラに適切に導かれて、用紙が適切に給紙されるようになる。
【図面の簡単な説明】
【００２０】
【図１】従来の用紙給紙装置を示し、（Ａ）は押上板の上に積載された用紙の枚数が多く、用紙の先端がガイド部材に接触する際における突入角度が大きくなった状態を、（Ｂ）は押上板の上に積載された用紙の枚数が少なく、用紙の先端がガイド部材に接触する際における突入角度が小さくなった状態を示した概略側面図である。
【図２】本発明の実施形態に係る用紙給紙装置を用いる画像読取装置を、画像形成装置の上部に設ける状態を示した概略斜視図である。
【図３】上記の画像読取装置に、本発明の実施形態に係る用紙給紙装置を用いた状態を示した概略断面説明図である。
【図４】上記の実施形態に係る用紙給紙装置の概略平面図である。
【図５】上記の実施形態に係る用紙給紙装置において、用紙の積載枚数が多い押上板の上からガイド部材に向けて送り出された用紙の先端がガイド部材のガイド部に接触する状態を示した部分拡大説明図である。
【図６】上記の実施形態に係る用紙給紙装置において、用紙の積載枚数が少ない押上板の上からガイド部材に向けて送り出された用紙の先端がガイド部材のガイド部に接触する状態を示した部分拡大説明図である。
【発明を実施するための形態】
【００２１】
次に、本発明の実施形態に係る用紙給紙装置を添付図面に基づいて具体的に説明する。なお、本発明に係る用紙給紙装置は、下記の実施形態に示したものに限定されず、その要旨を変更しない範囲において適宜変更して実施できるものである。
【００２２】
この実施形態においては、図１に示すように、複写機等の画像形成装置１０の上部に設けられた画像読取装置１１において、用紙積載トレイ１２に積載された用紙Ｓを給紙させるのに使用する用紙給紙装置について説明する。
【００２３】
そして、この画像読取装置１１においては、図１に示すように、用紙送り方向と直交する用紙積載トレイ１２の幅方向両側に、この用紙積載トレイ１２に積載された用紙Ｓを用紙送り方向と直交する両側で規制する一対の規制ガイド１３を設けている。
【００２４】
ここで、この画像読取装置１０に用いる用紙給紙装置２０においては、図３に示すように、上記の用紙積載トレイ１２における用紙送り出し側の部分に、給紙方向先端側が上方に回動される押上板２１を設け、用紙Ｓを上記の用紙積載トレイ１２からこの押上板２１の上にわたるようにして積載させるようにしている。
【００２５】
そして、この押上板２１の給紙方向先端側を上方に回動させて、この押上板２１の上に積載された用紙Ｓをピックアップローラ２２に接触させ、このピックアップローラ２２が所定のピックアップ位置に来たことをピックアップ位置検出センサ２３により検知した時点で、上記の押上板２１の回動を停止させるようにしている。
【００２６】
次いで、上記のピックアップローラ２２を回転させ、このピックアップローラ２２により押上板２１の上から用紙Ｓをガイド部材２４に向けて送り出し、この用紙Ｓの先端をガイド部材２４の上部の傾斜したガイド部２４ａに接触させ、このガイド部材２４を介して用紙Ｓを給紙ローラ２５と捌きローラ２６との間に導き、この給紙ローラ２５と捌きローラ２６との間を通して用紙Ｓを１枚ずつ給紙させるようにしている。
【００２７】
ここで、上記のガイド部材２４は、図３及び図４に示すように、押上板２１と反対側に設けられたバネ２７により押上板２１側に付勢されると共に、このガイド部材２４の給紙方向と直交する長手方向両端部において、押上板２１と反対側に突出して設けられた軸受部２４ｂにより回動可能に保持されている。
【００２８】
また、このガイド部材２４の給紙方向と直交する長手方向両端部に、押上板２１側に突出した突出部２４ｃが設けられる一方、上記の押上板２１においては、上記のガイド部材２４の突出部２４ｃと対応するようにして、押上板２１の給紙方向先端側における幅方向両端部の下部側に、それぞれガイド部材２４の突出部２４ｃに向けて突出するように押圧部２１ａが設けられている。
【００２９】
そして、押上板２１の上に積載された用紙Ｓが給紙されて、押上板２１の上に積載された用紙Ｓの枚数が減少し、押上板２１の上に積載された用紙Ｓがピックアップローラ２２と接触するように、押上板２１の給紙方向先端側が上方に回動されると、これに伴って押上板２１の給紙方向先端側に設けられた上記の押圧部２１ａが上方に回動されて、この押圧部２１ａがガイド部材２４の突出部２４ｃと接触し、この押圧部２１ａによってガイド部材２４の突出部２４ｃが給紙方向に押され、上記のバネ２７に抗してガイド部材２４が上記の軸受部２４ｂを支点として回動されるようになる。
【００３０】
ここで、図５に示すように、押上板２１の上に積載された用紙Ｓの枚数が多い状態では、押上板２１の給紙方向先端側が上方に回動される量が少なく、押上板２１の上に積載された用紙Ｓがピックアップローラ２２によってガイド部材２４に導かれる傾斜角度が大きくなる一方、ガイド部材２４の突出部２４ｃが押上板２１の押圧部２１ａによって給紙方向に押される量が少なくて、ガイド部材２４が上記の軸受部２４ｂを中心として回動される量が少なくなり、ガイド部材２４の上部の傾斜したガイド部２４ａが立ち上がる方向に傾動される角度か小さくなる。
【００３１】
一方、図６に示すように、押上板２１の上に積載された用紙Ｓの枚数が少なくなると、押上板２１の給紙方向先端側が上方に回動される量が大きくなって、押上板２１の上に積載された用紙Ｓがピックアップローラ２２によってガイド部材２４に導かれる傾斜角度が小さくなる一方、ガイド部材２４の突出部２４ｃが押上板２１の押圧部２１ａによって給紙方向に押し込まれる量が大きくなって、ガイド部材２４が上記の軸受部２４ｂを中心として回動される量が大きくなり、ガイド部材２４の上部の傾斜したガイド部２４ａが立ち上がる方向に傾動される角度か大きくなる。
【００３２】
このため、図５に示すように、押上板２１の上に積載された用紙Ｓの枚数が多く、ピックアップローラ２２によってガイド部材２４に向けて送り出される用紙Ｓの傾斜角度が大きくなった場合において、この用紙Ｓの先端がガイド部材２４のガイド部２４ａに接触する時の突入角度θ１と、図６に示すように、押上板２１の上に積載された用紙Ｓの枚数が少なく、ピックアップローラ２２によってガイド部材２４に向けて送り出される用紙Ｓの傾斜角度が小さくなった場合において、この用紙Ｓの先端がガイド部材２４のガイド部２４ａに接触する時の突入角度θ２が略同じような角度になる。
【００３３】
この結果、押上板２１の上に積載された用紙Ｓの枚数が変化して、押上板２１の上から用紙Ｓがガイド部材２４に導かれる角度が変化した場合においても、押上板２１の上から送り出された用紙Ｓの先端がガイド部材２４のガイド部２４ａと一定した適切な角度で接触するようになり、用紙Ｓがガイド部材２４のガイド部２４ａに当たって詰まるということがなくなると共に、複数枚の用紙Ｓがガイド部材２４に送られてきた場合に、この複数枚の用紙Ｓがガイド部２４ａとの接触により適切に崩されて給紙ローラ２５と捌きローラ２６との間に導かれ、給紙ローラ２５と捌きローラ２６との間において用紙Ｓが適切に捌かれて、用紙Ｓが１枚ずつ適切に給紙されるようになる。
【００３４】
また、前記のようにガイド部材２４を、押上板２１と反対側に突出して設けられた軸受部２４ｂにおいて回動可能に保持させるにあたり、このガイド部材２４の回動支点がガイド部材２４におけるガイド部２４ａの先端と対応した位置になるようにすると、上記のようにガイド部材２４の突出部２４ｃが押上板２１の押圧部２１ａにより押されて、ガイド部材２４が回動しても、このガイド部材２４におけるガイド部２４ａの先端が一定した位置に保たれるようになる。
【００３５】
このため、ガイド部材２４の回動支点をガイド部材２４におけるガイド部２４ａの先端と対応した位置にすると、ガイド部材２４に導かれた用紙Ｓが、このガイド部２４ａの先端を通して給紙ローラ２５と捌きローラ２６との間に一定した状態で導かれて適切に給紙されるようになる。
【００３６】
なお、この実施形態の用紙給紙装置２０においては、画像読取装置１１において、用紙積載トレイ１２に積載された用紙Ｓを給紙させる場合について説明したが、画像形成を行う用紙を給紙させる用紙給紙装置として使用することも可能である。
【符号の説明】
【００３７】
１０  画像形成装置
１１  画像読取装置
１２  用紙積載トレイ
１３  規制ガイド
２０  用紙給紙装置
２１  押上板
２１ａ  押圧部
２２  ピックアップローラ
２３  ピックアップ位置検出センサ
２４  ガイド部材
２４ａ  ガイド部
２４ｂ  軸受部
２４ｃ  突出部
２５  給紙ローラ
２６  捌きローラ
２７  バネ
Ｓ  用紙
θ１，θ２  突入角度
【図１】
2012180218.tif 000003
【図２】
2012180218.tif 000004
【図３】
2012180218.tif 000005
【図４】
2012180218.tif 000006
【図５】
2012180218.tif 000007
【図６】
2012180218.tif 000008